(57)【要約】【課題】ドレイン線と各信号線との距離を等くするようにして、両信号線が生じる電界がほぼ対称となり、両信号線からのクロストークが均一となり、その結果として、近端クロストークが軽減され、特性インピーダンスも均一になること、またコモングランド接続を可能とする。【解決手段】一対の信号線３を備えると共に１本のドレイン線７を備えている伝送ケーブル１をコネクタ１５に接続する際に、一対の信号線３をシグナルコンタクト１９の上下面に振り分けて接続し、ドレイン線７をグランドコンタクト２３の上下方向のほぼ中央に接続したことから、ドレイン線と各信号線との距離が等しくなり、両信号線が生じる電界がほぼ対称となり、両信号線からのクロストークが均一となり、また、その結果として、近端クロストークが軽減され、コネクタ接続部における各信号線の特性インピーダンスも均一になる。【選択図】　　　図１
2004071374.tif 000002
【特許請求の範囲】
【請求項１】
一対の信号線を備えると共に１本のドレイン線を備えている伝送ケーブルをコネクタに接続する伝送ケーブルの接続方法において、
一対の信号線をシグナルコンタクトの上下面に振り分けて接続し、ドレイン線をグランドコンタクトの上下方向のほぼ中央に接続することを特徴とする伝送ケーブルの接続方法。
【請求項２】
一対の信号線を備えると共に２本のドレイン線を備えている伝送ケーブルをコネクタに接続する伝送ケーブルの接続方法において、
一対の信号線をシグナルコンタクトの上下面に振り分けて接続し、２本のドレイン線のうちの一方を前記シグナルコンタクトの一方側に隣接する一つのグランドコンタクトの上面に接続すると共に他方のドレイン線を前記シグナルコンタクトの他方側に隣接する他のグランドコンタクトの下面に接続することを特徴とする伝送ケーブルの接続方法。
【請求項３】
一対の信号線を備えると共に１本のドレイン線を備えている伝送ケーブルを接続するコネクタにおいて、
一対の信号線を上下に振り分けて接続する接続部を上下面に設けたシグナルコンタクトと、ドレイン線を上下方向のほぼ中央に接続する接続部を設けたグランドコンタクトと、で構成されていることを特徴とするコネクタ。
【請求項４】
前記グランドコンタクトの接続部が、ドレイン線を差し込み可能なドレイン線差し込み用孔であることを特徴とする請求項３記載のコネクタ。
【請求項５】
前記グランドコンタクトの接続部が、ドレイン線をクランプするドレイン線固定用クランプであることを特徴とする請求項３記載のコネクタ。
【請求項６】
一対の信号線を備えると共に２本のドレイン線を備えている伝送ケーブルを接続するコネクタにおいて、
一対の信号線を上下に振り分けて接続する接続部を上下面に設けたシグナルコンタクトと、このシグナルコンタクトの一方側に隣接すると共に前記２本のドレイン線のうちの一方を上面に接続する第１接続部を設けた第１グランドコンタクトと、前記シグナルコンタクトの他方側に隣接すると共に前記２本のドレイン線のうちの他方を下面に接続する第２接続部を設けた第２グランドコンタクトと、で構成されていることを特徴とするコネクタ。
【発明の詳細な説明】
【０００１】
【発明の属する技術分野】
この発明は、伝送ケーブルの接続方法及びコネクタに関する。
【０００２】
【従来の技術】
従来、コンピュータなどのサーバ間に使用する集合ケーブルがあり、通信信号などを大容量で瞬時に送信しても、受信及び送信が瞬時または同時にスムーズに行う場合などに用いられる。上記の集合ケーブルは多数の信号線又は信号線対を内周側から外周側へ複数層状に配置して構成される。なお、信号線とは外周に低密度絶縁体からなる被覆材を被覆して構成されており、信号線対とは一対の信号線を平行に保持した２芯同軸ケーブル（ツイナックス）である。
【０００３】
図１５を参照するに、２芯同軸ケーブル１０１は１又は２本のドレイン線１０３が２本のドレイン線接続側の信号線１０５Ａ，ドレイン線非接続側のドレイン線１０５Ｂにほぼ平行に添えられてシールドされており、この２芯同軸ケーブル１０１が接続されるコネクタ１０７は上記の２本の信号線１０５Ａ，１０５Ｂを接続するためのシグナルコンタクト１０９と、ドレイン線１０３を接続するグランドとしてのグランドコンタクト１１１とが設けられている。
【０００４】
上記のコネクタ１０７への接続方法としては、２本の信号線１０５，１０５Ｂがそれぞれ１本ずつシグナルコンタクト１０９の上下面に例えば半田付けで接続され、ドレイン線１０３はグランドコンタクト１１１の上下面のいずれか一方に例えば図１５では上面に半田付けで接続される。
【０００５】
【発明が解決しようとする課題】
ところで、従来のコネクタ１０７への接続方法においては、ドレイン線１０３の接続がグランドコンタクト１１１の片面のみであることから、導体露出部においてドレイン線接続側の信号線１０５Ａとドレイン線１０３、ドレイン線非接続側の信号線１０５Ｂとドレイン線１０３の間隔に、図１５において矢印で示したごとく、違いができる。すなわち、ドレイン線接続側の信号線１０５Ａとドレイン線１０３との間隔が、ドレイン線非接続側の信号線１０５Ｂとドレイン線１０３との間隔に比べて狭くなる。
【０００６】
この違いにより、信号線１０５Ａ，１０５Ｂとドレイン線１０３との間に生じる電界に違いができる。ドレイン線１０３と近い信号線１０５Ａは電気力線がドレイン線１０３に収束する割合が増大し、誘導起電力（クロストーク）が減少する。一方、ドレイン線１０３との距離が遠い信号線１０５Ｂは、電気力線がドレイン線１０３に収束する割合が減少し、誘導起電力（クロストーク）が増大するという問題があった。
【０００７】
また、各２芯同軸ケーブル１０１のグランド電位を共通にするため、すべてのグランドコンタクト１１１のグランド同士を導通させる必要があるので複雑となり、伝送特性においても不安定な要因になり得るという問題点があった。
【０００８】
この発明は上述の課題を解決するためになされたもので、その目的は、ドレイン線と信号線との距離を等しくするようにして、両信号線が生じる電界がほぼ対称となり、両信号線からのクロストークが均一となり、また、その結果として、近端クロストークが軽減され、特性インピーダンスも均一になること、またコモングランド接続を可能とした伝送ケーブルの接続方法及びコネクタを提供することにある。
【０００９】
【課題を解決するための手段】
上記目的を達成するために請求項１によるこの発明の伝送ケーブルの接続方法は、一対の信号線を備えると共に１本のドレイン線を備えている伝送ケーブルをコネクタに接続する伝送ケーブルの接続方法において、
一対の信号線をシグナルコンタクトの上下面に振り分けて接続し、ドレイン線をグランドコンタクトの上下方向のほぼ中央に接続することを特徴とするものである。
【００１０】
したがって、ドレイン線をグランドコンタクトの上下方向のほぼ中央に接続したことから、ドレイン線と各信号線との距離が等しくなり、両信号線が生じる電界がほぼ対称となり、両信号線からのクロストークが均一となり、また、その結果として、近端クロストークが軽減され、コネクタ接続部における各信号線の特性インピーダンスも均一になる。
【００１１】
請求項２によるこの発明の伝送ケーブルの接続方法は、一対の信号線を備えると共に２本のドレイン線を備えている伝送ケーブルをコネクタに接続する伝送ケーブルの接続方法において、
一対の信号線をシグナルコンタクトの上下面に振り分けて接続し、２本のドレイン線のうちの一方を前記シグナルコンタクトの一方側に隣接する一つのグランドコンタクトの上面に接続すると共に他方のドレイン線を前記シグナルコンタクトの他方側に隣接する他のグランドコンタクトの下面に接続することを特徴とするものである。
【００１２】
したがって、２本のドレイン線が両隣のグランドコンタクトの上下面に交互に接続されるので、コモングランド接続が容易であり、２芯同軸ケーブルの２本の信号線とグランドとの間の電流の流れが均一になる。その結果、近端クロストークが軽減し、コネクタ接続部における各信号線の特性インピーダンスも均一になる。
【００１３】
また、コネクタ内部でコモングランドにする必要がなく、余計なグランドの引き回しが不要になるのでコネクタ形状を簡略化することが可能であり、安定した伝送特性が得られる。
【００１４】
請求項３によるこの発明のコネクタは、一対の信号線を備えると共に１本のドレイン線を備えている伝送ケーブルを接続するコネクタにおいて、
一対の信号線を上下に振り分けて接続する接続部を上下面に設けたシグナルコンタクトと、ドレイン線を上下方向のほぼ中央に接続する接続部を設けたグランドコンタクトと、で構成されていることを特徴とするものである。
【００１５】
したがって、請求項１記載の作用と同様であり、ドレイン線をグランドコンタクトの上下方向のほぼ中央に接続したことから、ドレイン線と各信号線との距離が等しくなり、両信号線が生じる電界がほぼ対称となり、両信号線からのクロストークが均一となり、また、その結果として、近端クロストークが軽減され、コネクタ接続部における各信号線の特性インピーダンスも均一になる。
【００１６】
請求項４によるこの発明のコネクタは、請求項３記載のコネクタにおいて、前記グランドコンタクトの接続部が、ドレイン線を差し込み可能なドレイン線差し込み用孔であることを特徴とするものである。
【００１７】
したがって、接続部がドレイン線差し込み用孔であるから、ドレイン線はドレイン線差し込み用孔に容易に差し込んで接続される。
【００１８】
請求項５によるこの発明のコネクタは、請求項３記載のコネクタにおいて、前記グランドコンタクトの接続部が、ドレイン線をクランプするドレイン線固定用クランプであることを特徴とするものである。
【００１９】
したがって、接続部がドレイン線固定用クランプであるから、ドレイン線はドレイン線固定用クランプのクランプ穴に容易に差し込んで、例えば締付け用工具で容易にクランプ接続される。
【００２０】
請求項６によるこの発明のコネクタは、一対の信号線を備えると共に２本のドレイン線を備えている伝送ケーブルを接続するコネクタにおいて、
一対の信号線を上下に振り分けて接続する接続部を上下面に設けたシグナルコンタクトと、このシグナルコンタクトの一方側に隣接すると共に前記２本のドレイン線のうちの一方を上面に接続する第１接続部を設けた第１グランドコンタクトと、前記シグナルコンタクトの他方側に隣接すると共に前記２本のドレイン線のうちの他方を下面に接続する第２接続部を設けた第２グランドコンタクトと、で構成されていることを特徴とするものである。
【００２１】
したがって、請求項２記載の作用と同様であり、２本のドレイン線が両隣のグランドコンタクトの上下面に交互に接続されるので、コモングランド接続が容易であり、２芯同軸ケーブルの２本の信号線とグランドとの間の電流の流れが均一になる。その結果、近端クロストークが軽減し、コネクタ接続部における各信号線の特性インピーダンスも均一になる。
【００２２】
また、コネクタ内部でコモングランドにする必要がなく、余計なグランドの引き回しが不要になるのでコネクタ形状を簡略化することが可能であり、安定した伝送特性が得られる。
【００２３】
【発明の実施の形態】
以下、この発明の実施の形態について図面を参照して説明する。
【００２４】
この実施の形態に係わる伝送ケーブルとしては、図１３（Ａ），（Ｂ）を参照するに、２芯同軸ケーブル１は、中心導体としての信号線３の外周に絶縁体からなる被覆材５が被覆されており、この信号線３のペア線にドレイン線７とが添えられ、例えばアルミなどのテープ材９が外周に巻き付けられている。
【００２５】
図１を参照するに、この発明の実施の形態のコネクタ１５として上記の２芯同軸ケーブル１が接続される場合について説明すると、コネクタ１５は２芯同軸ケーブル１の２本の信号線３を上下に振り分けて接続するための接続部１７Ａ，１７Ｂを上下面に設けたシグナルコンタクト１９と、ドレイン線７を上下方向のほぼ中央に接続する接続部としての例えばグランド接続部２１を設けたグランドとしてのグランドコンタクト２３と、で構成されている。
【００２６】
上記のコネクタ１５への接続方法としては、２芯同軸ケーブル１の２本の信号線３がそれぞれ１本ずつシグナルコンタクト１９の上下面の接続部１７Ａ，１７Ｂに振り分けて例えば半田付けで接続され、ドレイン線７はグランドコンタクト２３の上下方向のほぼ中央のグランド接続部２１として左右方向にあけられた貫通穴に左側から挿入されて例えば半田付けで接続される。
【００２７】
したがって、ドレイン線７がグランドコンタクト２３の上下方向で対称に振り分ける位置のグランド接続部２１の貫通穴に接続されることより、ドレイン線と各信号線との距離が等しくなり、両信号線が生じる電界がほぼ対称となり、両信号線からのクロストークが均一となり、また、その結果として、近端クロストークが軽減され、コネクタ接続部における各信号線の特性インピーダンスも均一になる。
【００２８】
ちなみに、表１には従来のコネクタ接続法方法とこの実施の形態のコネクタ接続方法による近端クロストーク値の比較表が示されている。互いに隣接する＃１，＃２，＃３の各ケーブル１の間の各接続面における近端クロストーク値（％）と、これらの近端クロストーク値の合計（％）が記されている。
【００２９】
【表１】
2004071374.tif 000003
表１から、＃１→＃２の場合と＃３→＃２の場合とを比較すると、この実施の形態のコネクタ接続方法は従来の方法より近端クロストーク値の差が少ないことが分かる。また、近端クロストーク値の合計（％）についても、この実施の形態の方法は従来の方法より小さいことが分かる。
【００３０】
次に、この発明の他の実施の形態のコネクタ１５について幾つかの例を説明する。なお、これらの例は図１のコネクタ１５とほぼ同様の構造であるので同様の部材は同符号を付し、異なる点について説明する。
【００３１】
図２には図１に代る他の実施の形態が示されている。図２において、図１における部品と同じ部品には同一の符号を付して重複する説明を省略する。
【００３２】
図２においてグランド接続部２１として左右方向にあけられた貫通穴に右側からドレイン線７が挿入されて例えば半田付けで接続される。
【００３３】
したがって、図２の場合の作用並びに効果は図１と同様の作用並びに効果を奏するものである。
【００３４】
図３を参照するに、グランドコンタクト２３のグランド接続部２１としては、ドレイン線７を差し込み可能なドレイン線差し込み用孔としての例えばドレイン線圧入用孔２５がグランドコンタクト２３の前方端面に上下方向のほぼ中央に設けられている。したがって、ドレイン線７は前記ドレイン線圧入用孔２５に差し込んで圧入して容易に接続することができる。
【００３５】
図４には図３に代る他の実施の形態が示されている。図４において、図３における部品と同じ部品には同一の符号を付して重複する説明を省略する。
【００３６】
図４においてグランド接続部２１としてのドレイン線圧入用孔２５が、グランドコンタクト２３の前方上下面にほぼ前部に設けられて、ドレイン線７が上から上下方向のほぼ中央部に差し込んで圧入して容易に接続される。
【００３７】
したがって、図４の場合の作用並びに効果は図３と同様の作用並びに効果を奏するものである。
【００３８】
図５には図３に代る他の実施の形態が示されている。図５において、図３における部品と同じ部品には同一の符号を付して重複する説明を省略する。
【００３９】
図５においてグランド接続部２１としてのドレイン線圧入用孔２５が、グランドコンタクト２３の前方において下方向へ向けて設けられて、ドレイン線７が前方から後方へのほぼ中央部に差し込んで圧入して容易に接続される。
【００４０】
したがって、図５の場合の作用並びに効果は図３と同様の作用並びに効果を奏するものである。
【００４１】
図６には図３に代る他の実施の形態が示されている。図６において、図３における部品と同じ部品には同一の符号を付して重複する説明を省略する。
【００４２】
図６においてグランド接続部２１としてのドレイン線圧入用孔２５が、グランドコンタクト２３の前方上下面に上方から下方へ向けて割られて設けられて、ドレイン線７が上から上下方向のほぼ中央部に差し込んで圧入して容易に接続される。
【００４３】
したがって、図６の場合の作用並びに効果は図３と同様の作用並びに効果を奏するものである。
【００４４】
図７を参照するに、他の実施の形態のコネクタ１５を示すものであり、グランドコンタクト２３のグランド接続部２１としては、ドレイン線７を差し込み可能なドレイン線差し込み用孔としての例えばドレイン線挿入用孔２７がグランドコンタクト２３の側面の上下方向のほぼ中央に設けられており、孔の向きはグランドコンタクト２３の前方端側に向いている。なお、このドレイン線挿入用孔２７は、例えば雄雌型のプレス用工具が用いられ、図８に示されているように打ち抜き加工によりグランドコンタクト２３にドレイン線挿入用孔２７が形成される。
【００４５】
したがって、ドレイン線７は前記ドレイン線挿入用孔２７に差し込んで容易に接続することができる。
【００４６】
図９を参照するに、図７の変形型のコネクタ１５を示すものであり、ドレイン線挿入用孔２７は図７とは異なり、孔の向きがグランドコンタクト２３の側面に上下方向に向いている。なお、作用効果は図７とほぼ同様である。
【００４７】
図１０を参照するに、他の実施の形態のコネクタ１５を示すものであり、グランドコンタクト２３のグランド接続部２１としては、ドレイン線７を挿入してクランプするドレイン線固定用クランプ２９がグランドコンタクト２３の上下方向のほぼ中央に設けられている。ドレイン線固定用クランプ２９は断面Ｃ字形状をなしており、クランプ穴の向きがグランドコンタクト２３の前方端側に向いている。
【００４８】
したがって、ドレイン線７は前記ドレイン線固定用クランプ２９のクランプ穴に差し込んで、例えばペンチなどの締付け用工具を用いてクランプして容易に接続することができる。
【００４９】
図１１を参照するに、図１０の変形型のコネクタ１５を示すものであり、ドレイン線固定用クランプ２９は図１０とは異なり、クランプ穴の向きがグランドコンタクト２３の側面に上下方向に向いている。なお、作用および効果は図１０とほぼ同様である。
【００５０】
図１２を参照するに、図１０の変形型のコネクタ１５を示すものであり、ドレイン線固定クランプ２９は図１０とは異なり、グランドコンタクト２３を製造する際に一体的に右側面を開口した丸溝が形成される。この丸溝にドレイン線７を前方から差し込みかしめることで接合される。なお、作用および効果は図１０と同様である。
【００５１】
図１４を参照するに、この実施の形態に係わる２芯同軸ケーブル３１は、２本のドレイン線３３Ａ，３３Ｂが設けられており、他は図５に示される２芯同軸ケーブル１とほぼ同様であるので同様の部材は同符号が付されている。なお、この実施の形態では上記の２本のドレイン線３３Ａ，３３Ｂが２本の信号線３の両外側に位置して設けられている。
【００５２】
また、上記の２芯同軸ケーブル３１が接続されるこの実施の形態のコネクタ３５としては、２本の信号線３を上下に振り分けて接続するための接続部３７Ａ，３７Ｂを上下面に設けたシグナルコンタクト３９と、このシグナルコンタクト３９の図１４において左側に位置すると共に上記の２本のドレイン線３３Ａ，３３Ｂのうちの一方のドレイン線３３Ａを上面に接続する第１接続部４１を設けた第１グランドコンタクト４３と、前記シグナルコンタクト３９の図１１において右側に位置すると共に他方のドレイン線３３Ｂを下面に接続する第２接続部４５を設けた第２グランドコンタクト４７と、で構成されている。なお、第２グランドコンタクト４７の上面には他の２芯同軸ケーブル４９の２本のドレイン線５１Ａ，５１Ｂのうちの一方のドレイン線５１Ａを接続するための第１接続部５３が設けられている。
【００５３】
上記のコネクタ３５への接続方法としては、２芯同軸ケーブル３１の２本の信号線３がそれぞれ１本ずつシグナルコンタクト３９の上下面に振り分けて例えば半田付けで接続され、２本のドレイン線３３Ａ，３３Ｂは一方のドレイン線３３Ａが第１グランドコンタクト４３の上面の第１接続部４１に例えば半田付けで接続され、他方のドレイン線３３Ｂが第２グランドコンタクト４７の下面の第２接続部４５に例えば半田付けで接続される。
【００５４】
なお、他の２芯同軸ケーブル４９が隣のシグナルコンタクト５５に接続されるときは、２芯同軸ケーブル４９の一方のドレイン線５１Ａが第２グランドコンタクト４７の上面の第１接続部５３に例えば半田付けで接続され、他方のドレイン線５１Ｂが第３グランドコンタクト５７の下面の第２接続部５９に例えば半田付けで接続される。
【００５５】
したがって、複数の２芯同軸ケーブル３１がコネクタ３５に接続される場合も上記と同様の要領であり、複数の各２芯同軸ケーブル３１の各２本のドレイン線３３Ａ，３３Ｂは、それぞれ対応するシグナルコンタクト３９の両隣のグランドコンタクト４３，４７の第１接続部４１と第２接続部４５に交互に接続されることとなる。
【００５６】
以上のことから、上記のように複数の２芯同軸ケーブル３１の各２本のドレイン線３３Ａ，３３Ｂが両隣のグランドコンタクト４３，４７の上下面の第１接続部４１と第２接続部４５に交互に接続されるので、コモングランド接続が容易にでき、２芯同軸ケーブル３１の２本の信号線３とグランドとの間の電流の流れが均一になり、近端クロストークが軽減し、コネクタ接続部における各信号線の特性インピーダンスを均一にすることが可能となる。
【００５７】
また、コネクタ３５の内部でコモングランドにする必要がなく、余計なグランドの引き回しが不要になるのでコネクタ形状を簡略化することが可能であり、安定した伝送特性を得ることができる。
【００５８】
なお、この発明は前述した実施の形態に限定されることなく、適宜な変更を行うことによりその他の態様で実施し得るものである。
【００５９】
【発明の効果】
以上のごとき発明の実施の形態の説明から理解されるように、請求項１の発明によれば、ドレイン線をグランドコンタクトの上下方向のほぼ中央に接続したので、ドレイン線と各信号線との距離が等しくなり、両信号線が生じる電界がほぼ対称となり、両信号線からのクロストークが均一となり、また、その結果として、近端クロストークが軽減され、コネクタ接続部における各信号線の特性インピーダンスを均一にすることができる。
【００６０】
請求項２の発明によれば、２本のドレイン線を両隣のグランドコンタクトの上下面に交互に接続するので、コモングランド接続を容易にでき、２芯同軸ケーブルの２本の信号線とグランドとの間の電流の流れを均一にできる。近端クロストークを軽減でき、コネクタ接続部における各信号線の特性インピーダンスを均一にすることができる。
【００６１】
また、コネクタ内部でコモングランドにする必要がなく、余計なグランドの引き回しが不要になるのでコネクタ形状を簡略化でき、安定した伝送特性を得ることができる。
【００６２】
請求項３の発明によれば、請求項１記載の効果と同様であり、ドレイン線をグランドコンタクトの上下方向のほぼ中央に接続したので、ドレイン線と各信号線との距離が等しくなり、両信号線が生じる電界がほぼ対称となり、両信号線からのクロストークが均一となり、また、その結果として、近端クロストークが軽減され、コネクタ接続部における各信号線の特性インピーダンスを均一にすることができる。
【００６３】
請求項４の発明によれば、ドレイン線差し込み用孔にドレイン線を容易に差し込んで接続できる。
【００６４】
請求項５の発明によれば、ドレイン線固定用クランプのクランプ穴にドレイン線を容易に差し込んで、例えば締付け用工具で容易にクランプ接続できる。
【００６５】
請求項６の発明によれば、請求項２記載の効果と同様であり、２本のドレイン線を両隣のグランドコンタクトの上下面に交互に接続するので、コモングランド接続を容易にでき、２芯同軸ケーブルの２本の信号線とグランドとの間の電流の流れを均一にできる。近端クロストークを軽減でき、コネクタ接続部における各信号線の特性インピーダンスを均一にすることができる。
【００６６】
また、コネクタ内部でコモングランドにする必要がなく、余計なグランドの引き回しが不要になるのでコネクタ形状を簡略化でき、安定した伝送特性を得ることができる。
【図面の簡単な説明】
【図１】この発明の実施の形態における２芯同軸ケーブルのコネクタ接続状態を示す斜視図である。
【図２】この発明の図１に代る他の実施の形態における２芯同軸ケーブルのコネクタ接続状態を示す斜視図である。
【図３】この発明の他の実施の形態における２芯同軸ケーブルのコネクタ接続状態を示す斜視図である。
【図４】この発明の他の実施の形態における２芯同軸ケーブルのコネクタ接続状態を示す斜視図である。
【図５】この発明の他の実施の形態における２芯同軸ケーブルのコネクタ接続状態を示す斜視図である。
【図６】この発明の別の実施の形態における２芯同軸ケーブルのコネクタ接続状態を示す斜視図である。
【図７】この発明の他の実施の形態における２芯同軸ケーブルのコネクタ接続状態を示す斜視図である。
【図８】図７のグランドコンタクトの前方端側から視たグランド接続部の側面図である。
【図９】この発明の他の実施の形態における２芯同軸ケーブルのコネクタ接続状態を示す斜視図である。
【図１０】この発明の他の実施の形態における２芯同軸ケーブルのコネクタ接続状態を示す斜視図である。
【図１１】この発明の他の実施の形態における２芯同軸ケーブルのコネクタ接続状態を示す斜視図である。
【図１２】この発明の他の実施の形態における２芯同軸ケーブルのコネクタ接続状態を示す斜視図である。
【図１３】（Ａ）は２芯同軸ケーブルの斜視図で、（Ｂ）は（Ａ）の縦断面図である。
【図１４】この発明の他の実施の形態における２芯同軸ケーブルのコネクタ接続状態を示す斜視図である。
【図１５】従来の２芯同軸ケーブルのコネクタ接続状態を示す斜視図である。
【符号の説明】
１，３１，４９　２芯同軸ケーブル
３　信号線
７，３３Ａ，３３Ｂ，５１Ａ，５１Ｂ　ドレイン線
１５，３５　コネクタ
１７Ａ，１７Ｂ　接続部（シグナルコンタクト１９の）
１９，３９，５５　シグナルコンタクト
２１　グランド接続部
２３　グランドコンタクト
２５　ドレイン線圧入用孔
２７　ドレイン線挿入用孔
２９　ドレイン線固定用クランプ
３７Ａ，３７Ｂ　接続部（シグナルコンタクト３９の）
４１　第１接続部（２芯同軸ケーブル３１用の）
４３　第１グランドコンタクト
４５　第２接続部（２芯同軸ケーブル３１用の）
４７　第２グランドコンタクト
５３　第１接続部（２芯同軸ケーブル４９用の）
５７　第３グランドコンタクト
５９　第２接続部（２芯同軸ケーブル４９用の）
【図１】
2004071374.tif 000004
【図２】
2004071374.tif 000005
【図３】
2004071374.tif 000006
【図４】
2004071374.tif 000007
【図５】
2004071374.tif 000008
【図６】
2004071374.tif 000009
【図７】
2004071374.tif 000010
【図８】
2004071374.tif 000011
【図９】
2004071374.tif 000012
【図１０】
2004071374.tif 000013
【図１１】
2004071374.tif 000014
【図１２】
2004071374.tif 000015
【図１３】
2004071374.tif 000016
【図１４】
2004071374.tif 000017
【図１５】
2004071374.tif 000018